(57)【要約】【課題】無線端末の送信電力の増大や受信感度の増大をそれぞれモニタ可能な送信能力モニタ装置及び受信能力モニタ装置を提供と、これら送信能力モニタ装置及び受信能力モニタ装置を備える無線通信システムを提供する。【解決手段】無線端末１１の送信回路２１の出力を入力し、周期的に減衰させてレベル検定して電力レベル検出出力を生成する電力検出部２３と、電力レベル検出出力の出力状態に応じたチェックデータを生成するデータ処理部２４と、無線端末１１からシリアル伝送されたチェックデータを電力レベル検出出力が交番出力であることを示す所定データか否かを照合する２重系照合部４２及び照合結果が不一致のときに無線端末１１の電源供給を遮断する電源遮断リレー４３を備える判定部１２とを備えて構成した。【選択図】  図１
2004274348.tif 000002
【特許請求の範囲】
【請求項１】
無線端末の送信電力レベルをモニタする送信能力モニタ装置であって、
前記無線端末の送信アンテナに出力される送信信号を入力し当該入力信号を周期的に減衰して減衰時と減衰しない時との間の電力レベルに予め設定した閾値と比較して電力レベル検出出力を生成する電力レベル検出出力生成部と、
前記電力レベル検出出力の出力状態に応じたチェックデータを生成するチェックデータ生成部と、
該チェックデータ生成部のチェックデータが、前記電力レベル検出出力が交番出力であることを示す予め定めた所定データであるとき電力レベル正常と判定し、前記チェックデータが前記所定データと異なるとき電力レベル異常と判定し、異常判定時に前記無線端末の送信機能を停止するレベル判定部と、
を備えて構成したことを特徴とする送信能力モニタ装置。
【請求項２】
前記電力レベル検出出力生成部は、前記送信信号の送信経路に接続し周期的に切換え制御される第１切換えスイッチと、互いに並列でそれぞれの一端側が前記第１切換えスイッチに周期的に切換え接続する減衰器のない第１信号経路及び減衰器の介装された第２信号経路と、前記第１切換えスイッチと同期して周期的に切換え制御され前記第１及び第２信号経路のそれぞれの他端側に周期的に切換え接続する第２切換えスイッチと、該第２切換えスイッチを介して入力する信号を直流に変換した後、前記閾値でレベル検定して前記電力レベル検出出力を生成する電力レベル検出部とを備えて構成される請求項１に記載の送信能力モニタ装置。
【請求項３】
前記電力レベル検出部は、前記第２信号経路を経由して信号が入力している時に、信号レベルを一時的に前記閾値以上になるよう増大制御して前記第２信号経路が正常か否かを確認する確認手段を備える構成である請求項２に記載の送信能力モニタ装置。
【請求項４】
前記チェックデータ生成部は、前記電力レベル検出出力を所定時間間隔でサンプリングし、該サンプリングデータと予め記憶した参照データとに基づいてシリアルデータを生成し、該シリアルデータを前記チェックデータとして出力する構成である請求項１〜３のいずれか１つに記載の送信能力モニタ装置。
【請求項５】
前記電力レベル検出出力生成部及び前記チェックデータ生成部が、共に２重系構成の場合、前記電力レベル検出出力生成部は、互いに双対関係の電力レベル検出出力を生成する第１及び第２電力レベル検出出力生成部を備える構成であり、前記チェックデータ生成部は、前記第１電力レベル検出出力生成部の電力レベル検出出力を第１チェックデータに変換する第１チェックデータ変換部と、第２電力レベル検出出力生成部の電力レベル検出出力を前記第１チェックデータと異なる第２チェックデータに変換する第２チェックデータ変換部と、前記第１及び第２チェックデータを交互に切換え出力する出力切換え部とを備える構成である請求項１〜４のいずれか１つに記載の送信能力モニタ装置。
【請求項６】
前記レベル判定部を無線端末とは分離して設ける構成とした請求項１〜５のいずれか１つに記載の送信能力モニタ装置。
【請求項７】
無線端末の受信感度をモニタする受信能力モニタ装置であって、
前記無線端末の受信信号を復調する復調回路の復調信号レベルを検出し、前記信号レベルが所定レベル以上増大したことを検出したときに受信感度異常と判定して前記無線端末の受信機能を停止するモニタ部を備えて構成したことを特徴とする受信能力モニタ装置。
【請求項８】
受信アンテナから前記復調回路に入力する受信信号に基づいて受信データを取得した後に、テスト信号を前記復調回路に入力して復調し復調テスト信号の信号レベル状態に基づいて受信感度を判定し、受信感度正常のときに受信データ有効と判断し、受信感度異常のときに受信データ無効と判断し、無効判定時に前記無線端末の受信機能を停止する構成を備える請求項７に記載の受信能力モニタ装置。
【請求項９】
前記モニタ部は、
テスト信号を周期的に減衰して前記復調回路に供給するテスト信号供給部と、
前記復調回路で復調されたテスト信号を入力し当該入力信号を減衰時と減衰しない時との間の電力レベルに予め設定した閾値と比較して電力レベル検出出力を生成する電力レベル検出出力生成部と、
前記電力レベル検出出力の出力状態に応じたチェックデータを生成するチェックデータ生成部と、
該チェックデータ生成部のチェックデータが、前記電力レベル検出出力が交番出力であることを示す予め定めた所定データであるとき受信感度正常と判定し、前記チェックデータが前記所定データと異なるとき受信感度異常と判定し、異常判定時に前記無線端末の受信機能を停止するレベル判定部と、
を備えて構成した請求項７又は８に記載の受信能力モニタ装置。
【請求項１０】
前記テスト信号供給部は、テスト信号を発生するテスト信号発生部と、該テスト信号発生部に接続し周期的に切換え制御される第１切換えスイッチと、互いに並列でそれぞれの一端側が前記第１切換えスイッチに周期的に切換え接続する減衰器のない第１信号経路及び減衰器の介装された第２信号経路と、前記第１切換えスイッチと同期して周期的に切換え制御され前記第１及び第２信号経路のそれぞれの他端側に周期的に切換え接続する第２切換えスイッチと、前記復調回路の入力側を受信アンテナと前記第２切換えスイッチに切換え接続する第３切換えスイッチとを備える構成である請求項９に記載の受信能力モニタ装置。
【請求項１１】
前記復調回路の復調テスト信号を前記チェックデータ生成部に入力する信号経路に、前記電力レベル検出出力生成部の電力検出出力が所定レベル以上のときにオンする常開スイッチを介装する一方、前記チェックデータ生成部で生成したテストデータを含むテスト信号を前記テスト信号供給部から前記復調回路に供給し、前記チェックデータ生成部が、入力する復調テスト信号に応じたスイッチチェック用データを生成し、前記レベル判定部が、前記スイッチチェック用データが予め定めた所定のデータであるとき常開スイッチ正常と判定する構成を備える請求項９又は１０に記載の受信能力モニタ装置。
【請求項１２】
前記電力検出出力生成部は、前記第２信号経路を経由して信号が入力している時に、信号レベルを一時的に前記閾値以上になるよう増大制御して前記第２信号経路が正常か否かを確認する確認手段を備える構成である９〜１１のいずれか１つに記載の受信能力モニタ装置。
【請求項１３】
前記チェックデータ生成部は、前記電力レベル検出出力を所定時間間隔でサンプリングし、該サンプリングデータと予め記憶した参照データとに基づいてシリアルデータを生成し、該シリアルデータを前記チェックデータとして出力する構成である請求項９〜１２のいずれか１つに記載の受信能力モニタ装置。
【請求項１４】
前記電力レベル検出出力生成部及び前記チェックデータ生成部が、共に２重系構成の場合、前記電力レベル検出出力生成部は、互いに双対関係の電力レベル検出出力を生成する第１及び第２電力レベル検出出力生成部を備える構成であり、前記チェックデータ生成部は、前記第１電力レベル検出出力生成部の電力レベル検出出力を第１チェックデータに変換する第１チェックデータ変換部と、第２電力レベル検出出力生成部の電力レベル検出出力を前記第１チェックデータと異なる第２チェックデータに変換する第２チェックデータ変換部と、前記第１及び第２チェックデータを交互に切換え出力する出力切換え部とを備える構成である請求項９〜１３のいずれか１つに記載の受信能力モニタ装置。
【請求項１５】
前記レベル判定部を無線端末とは分離して設ける構成とした請求項９〜１４のいずれか１つに記載の受信能力モニタ装置。
【請求項１６】
請求項１〜６のいずれか１つに記載の送信能力モニタ装置及び請求項７〜１５のいずれか１つに記載の受信能力モニタ装置の少なくとも一方のモニタ装置を備える無線局と、少なくとも他方のモニタ装置を備える無線局との間でデータ通信することを特徴とする無線通信システム。
【請求項１７】
前記無線局のいずれか一方を移動局とし、他方を固定局とする構成とした請求項１６に記載の無線通信システム。
【請求項１８】
前記移動局の無線端末を鉄道車両に搭載される車上子とし、前記固定局の無線端末を鉄道車両のレール間に配置される地上子とする請求項１７に記載の無線通信システム。
【発明の詳細な説明】
【０００１】
【発明の属する技術分野】
本発明は、無線端末の送信電力が増大したか否かをモニタする送信能力モニタ装置に関する。また、無線端末の受信感度が増大したか否かをモニタする受信能力モニタ装置に関する。更に、これら送信能力モニタ装置及び受信能力モニタ装置を備える無線通信システムに関する。
【０００２】
【従来の技術】
無線通信システムにおいて、所定の相手とだけ通信するように通信エリアを狭く設定する通信システムとして、例えば鉄道交通におけるマイクロ波トランスポンダによる車上装置−地上装置間のような無線通信システムがある（例えば特許文献１参照）。
【０００３】
この通信システムは、図１２に示すように、車両１に例えば質問器（以下、車上子とする）２を搭載し、地上に敷設したレール３間に応答器（以下、地上子とする）４を設置する。車両１は、車上子２から常時質問波を送信しながらレール３上を走行し、車両１が地上子４の上方を通過するときに地上子４が質問波を受信すると、地上子４は受信した質問波に応じた応答波を返信することにより、車上子−地上子間でデータ伝送が行われる。そして、車上子２の送信エリア及び地上子４の受信エリアをそれぞれ狭く設定して、車上子２がレール３側に設置した地上子４とだけ通信し、隣接するレール５側に設置した地上子６と通信しないよう、また、地上子４が車両１の車上子２とだけ通信し、隣接するレール５側を走行する車両の車上子（図示せず）と通信しないようにしている。
【０００４】
【特許文献１】
特開２０００−２６９８７７号公報
【０００５】
【発明が解決しようとする課題】
しかしながら、故障により車上子２の送信電力が増大し送信エリアが必要以上に拡大された場合や、故障により地上子４の受信感度が増大し受信エリアが必要以上に拡大された場合には、隣接するレール５側の地上子５や走行車両の車上子と通信する可能性がある。従来の例えばＡＴＳシステム等に用いられている磁気結合方式のように使用周波数帯域が低い（数百ｋＨｚ帯域）場合には、故障時に送信電力や受信感度の低下するような回路構成とすることは容易であるが、データの伝送スピードが遅い欠点がある。車上−地上間で多量の情報量を送受する必要性からデータ伝送スピードの高速化が望まれており、上述のトランスポンダ方式のような使用周波数帯域の高い（ＧＨｚ帯域）無線通信システムが要望されている。しかし、トランスポンダ方式では、故障時に送信電力や受信感度の低下するような回路構成とすることが難しいため、故障時の通信エリア拡大に対処するには、送信電力や受信感度の増大を監視するモニタ回路が必要である。
【０００６】
本発明は上記問題点に着目してなされたもので、無線端末の送信電力の増大をモニタ可能な新規な送信能力モニタ装置を提供する。また、無線端末の受信感度の増大をモニタ可能な受信能力モニタ装置を提供する。更に、これら送信能力モニタ装置及び受信能力モニタ装置を備える無線通信システムを提供することを目的とする。
【０００７】
【課題を解決するための手段】
このため、請求項１の発明は、無線端末の送信電力レベルをモニタする送信能力モニタ装置であって、前記無線端末の送信アンテナに出力される送信信号を入力し当該入力信号を周期的に減衰して減衰時と減衰しない時との間の電力レベルに予め設定した閾値と比較して電力レベル検出出力を生成する電力レベル検出出力生成部と、前記電力レベル検出出力の出力状態に応じたチェックデータを生成するチェックデータ生成部と、該チェックデータ生成部のチェックデータが、前記電力レベル検出出力が交番出力であることを示す予め定めた所定データであるとき電力レベル正常と判定し、前記チェックデータが前記所定データと異なるとき電力レベル異常と判定し、異常判定時に前記無線端末の送信機能を停止するレベル判定部とを備えて構成した。
【０００８】
かかる構成では、電力レベル検出出力生成部は、送信信号を入力して周期的に減衰して減衰時と減衰しない時との間の電力レベルに予め設定した閾値と比較して電力レベル検出出力を生成する。電力レベルが正常であれば電力検出出力は交番信号となり、電力レベルが必要以上に増大すれば電力検出出力は交番信号とならない。チェックデータ生成部では、電力レベル検出出力の出力状態が交番信号であるときに所定データのチェックデータが生成されるが、交番信号でないときは所定データと異なるチェックデータが生成される。レベル判定部は、チェックデータ生成部で生成されたチェックデータが所定データか否かを判定し、所定データであれば送信電力は正常と判定する。一方、チェックデータが所定データでないときは送信電力が異常と判定して無線端末の送信機能を停止するようにする。
【０００９】
請求項２のように、前記電力レベル検出出力生成部は、前記送信信号の送信経路に接続し周期的に切換え制御される第１切換えスイッチと、互いに並列でそれぞれの一端側が前記第１切換えスイッチに周期的に切換え接続する減衰器のない第１信号経路及び減衰器の介装された第２信号経路と、前記第１切換えスイッチと同期して周期的に切換え制御され前記第１及び第２信号経路のそれぞれの他端側に周期的に切換え接続する第２切換えスイッチと、該第２切換えスイッチを介して入力する信号を直流に変換した後、前記閾値でレベル検定して前記電力レベル検出出力を生成する電力レベル検出部とを備えて構成するとよい。
【００１０】
かかる構成では、第１及び第２切換えスイッチを互いに同期させて周期的に切換える。これにより、送信信号は、第１信号経路側を通るときは減衰されず、第２信号経路側を通るときは減衰器により減衰され、電力レベル検出部に入力する。電力レベル検出部は、入力信号を閾値判定して電力レベル検出出力を生成するようになる。
【００１１】
請求項３のように、前記電力レベル検出部は、前記第２信号経路を経由して信号が入力している時に、信号レベルを一時的に前記閾値以上になるよう増大制御して前記第２信号経路が正常か否かを確認する確認手段を備える構成とするとよい。
【００１２】
かかる構成では、減衰された信号が正常に入力していれば信号レベルが一時的に閾値以上となるが、信号が入力してなければ閾値以上の信号が発生することはなく、第２信号経路の断線故障等が判るようになる。
【００１３】
請求項４のように、前記チェックデータ生成部は、前記電力レベル検出出力を所定時間間隔でサンプリングし、該サンプリングデータと予め記憶した参照データとに基づいてシリアルデータを生成し、該シリアルデータを前記チェックデータとして出力する構成とするとよい。
【００１４】
請求項５のように、前記電力レベル検出出力生成部及び前記チェックデータ生成部が、共に２重系構成の場合、前記電力レベル検出出力生成部は、互いに双対関係の電力レベル検出出力を生成する第１及び第２電力レベル検出出力生成部を備える構成であり、前記チェックデータ生成部は、前記第１電力レベル検出出力生成部の電力レベル検出出力を第１チェックデータに変換する第１チェックデータ変換部と、第２電力レベル検出出力生成部の電力レベル検出出力を前記第１チェックデータと異なる第２チェックデータに変換する第２チェックデータ変換部と、前記第１及び第２チェックデータを交互に切換え出力する出力切換え部とを備える構成とするとよい。
【００１５】
請求項６のように、前記レベル判定部を無線端末とは分離して設ける構成とすれば、無線端末が大型化することはない。
請求項７の発明は、無線端末の受信感度をモニタする受信能力モニタ装置であって、前記無線端末の受信信号を復調する復調回路の復調信号レベルを検出し、前記信号レベルが所定レベル以上増大したことを検出したときに受信感度異常と判定して前記無線端末の受信機能を停止するモニタ部を備えて構成した。
【００１６】
かかる構成では、モニタ部は、復調回路の復調信号のレベルを検出し、検出した信号レベルが所定レベル以上に増大していれば受信感度異常と判定し、無線端末の受信機能を停止するようにする。
【００１７】
請求項８のように、受信アンテナから前記復調回路に入力する受信信号に基づいて受信データを取得した後に、テスト信号を前記復調回路に入力して復調し復調テスト信号の信号レベル状態に基づいて受信感度を判定し、受信感度正常のときに受信データ有効と判断し、受信感度異常のときに受信データ無効と判断し、無効判定時に前記無線端末の受信機能を停止する構成を備えるとよい。
【００１８】
かかる構成では、受信感度が正常のときの受信データだけを取入れることができるようになる。
請求項９のように、前記モニタ部は、テスト信号を周期的に減衰して前記復調回路に供給するテスト信号供給部と、前記復調回路で復調されたテスト信号を入力し当該入力信号を減衰時と減衰しない時との間の電力レベルに予め設定した閾値と比較して電力レベル検出出力を生成する電力レベル検出出力生成部と、前記電力レベル検出出力の出力状態に応じたチェックデータを生成するチェックデータ生成部と、該チェックデータ生成部のチェックデータが、前記電力レベル検出出力が交番出力であることを示す予め定めた所定データであるとき受信感度正常と判定し、前記チェックデータが前記所定データと異なるとき受信感度異常と判定し、異常判定時に前記無線端末の受信機能を停止するレベル判定部とを備えて構成するとよい。
【００１９】
かかる構成では、テスト信号供給部は、テスト信号を周期的に減衰して前記復調回路に供給する。電力レベル検出出力生成部は、周期的に減衰された復調テスト信号を入力し、減衰時と減衰しない時との間の電力レベルに予め設定した閾値と比較して電力レベル検出出力を生成する。電力レベルが正常であれば電力検出出力は交番信号となり、電力レベルが必要以上に増大すれば電力検出出力は交番信号とならない。チェックデータ生成部では、電力レベル検出出力の出力状態が交番信号であるときに所定データのチェックデータが生成されるが、交番信号でないときは所定データと異なるチェックデータが生成される。レベル判定部は、チェックデータ生成部で生成されたチェックデータが所定データか否かを判定し、所定データであれば受信感度は正常と判定する。一方、チェックデータが所定データでないときは受信感度が異常と判定して無線端末の受信機能を停止するようにする。
【００２０】
請求項１０のように、前記テスト信号供給部は、テスト信号を発生するテスト信号発生部と、該テスト信号発生部に接続し周期的に切換え制御される第１切換えスイッチと、互いに並列でそれぞれの一端側が前記第１切換えスイッチに周期的に切換え接続する減衰器のない第１信号経路及び減衰器の介装された第２信号経路と、前記第１切換えスイッチと同期して周期的に切換え制御され前記第１及び第２信号経路のそれぞれの他端側に周期的に切換え接続する第２切換えスイッチと、前記復調回路の入力側を受信アンテナと前記第２切換えスイッチに切換え接続する第３切換えスイッチとを備える構成とするとよい。
【００２１】
かかる構成では、第１及び第２切換えスイッチを互いに同期させて周期的に切換える。これにより、テスト信号は、第１信号経路側を通るときは減衰されず、第２信号経路側を通るときは減衰器により減衰され、復調回路に入力するようになる。
【００２２】
請求項１１のように、前記復調回路の復調テスト信号を前記チェックデータ生成部に入力する信号経路に、前記電力レベル検出出力生成部の電力検出出力が所定レベル以上のときにオンする常開スイッチを介装する一方、前記チェックデータ生成部で生成したテストデータを含むテスト信号を前記テスト信号供給部から前記復調回路に供給し、前記チェックデータ生成部が、入力する復調テスト信号に応じたスイッチチェック用データを生成し、前記レベル判定部が、前記スイッチチェック用データが予め定めた所定のデータであるとき常開スイッチ正常と判定する構成を備えるとよい。
【００２３】
かかる構成では、復調回路の復調テスト信号が所定レベル以上のときに常開スイッチがオンすると、テストデータがチェックデータ生成部に入力して所定のスイッチチェック用データが生成される。一方、復調テスト信号が所定レベル以上でないときにテストデータがチェックデータ生成部に入力すると、チェックデータ生成部では所定データと異なるスイッチチェック用データが生成される。レベル判定部は、チェックデータ生成部で生成されたチェックデータが所定データか否かを判定し、所定データであれば常開スイッチは正常と判定する。一方、チェックデータが所定データでないときは常開スイッチが異常と判定するようになる。
【００２４】
請求項１２のように、前記電力検出出力生成部は、前記第２信号経路を経由して信号が入力している時に、信号レベルを一時的に前記閾値以上になるよう増大制御して前記第２信号経路が正常か否かを確認する確認手段を備える構成とするとよい。
【００２５】
かかる構成では、減衰された信号が正常に入力していれば信号レベルが一時的に閾値以上となるが、信号が入力してなければ閾値以上の信号が発生することはなく、第２信号経路の断線故障等が判るようになる。
【００２６】
請求項１３のように、前記チェックデータ生成部は、前記電力レベル検出出力を所定時間間隔でサンプリングし、該サンプリングデータと予め記憶した参照データとに基づいてシリアルデータを生成し、該シリアルデータを前記チェックデータとして出力する構成とするとよい。
【００２７】
請求項１４のように、前記電力レベル検出出力生成部及び前記チェックデータ生成部が、共に２重系構成の場合、前記電力レベル検出出力生成部は、互いに双対関係の電力レベル検出出力を生成する第１及び第２電力レベル検出出力生成部を備える構成であり、前記チェックデータ生成部は、前記第１電力レベル検出出力生成部の電力レベル検出出力を第１チェックデータに変換する第１チェックデータ変換部と、第２電力レベル検出出力生成部の電力レベル検出出力を前記第１チェックデータと異なる第２チェックデータに変換する第２チェックデータ変換部と、前記第１及び第２チェックデータを交互に切換え出力する出力切換え部とを備える構成とするとよい。
【００２８】
請求項１５のように、前記レベル判定部を無線端末とは分離して設ける構成とすれば、無線端末が大型化することはない。
請求項１６の発明の無線通信システムは、請求項１〜６のいずれか１つに記載の送信能力モニタ装置及び請求項７〜１５のいずれか１つに記載の受信能力モニタ装置の少なくとも一方のモニタ装置を備える無線局と、少なくとも他方のモニタ装置を備える無線局との間でデータ通信する構成とした。
【００２９】
かかる構成では、無線局間でデータ通信する場合、通信エリアが必要以上に拡大されることを送信能力モニタ装置及び受信能力モニタ装置で監視できるようになる。これにより、予め定めた互いの相手以外の無線局と通信することを防止できるようになる。
【００３０】
請求項１７のように、前記無線局のいずれか一方を移動局とし、他方を固定局とする構成するとよい。この場合、請求項１８のように、前記移動局の無線端末を鉄道車両に搭載される車上子とし、前記固定局の無線端末を鉄道車両のレール間に配置される地上子とする構成とすれば、鉄道交通システムに適用できるようになる。
【００３１】
【発明の実施の形態】
以下、本発明の実施形態を図面に基づいて説明する。
図１は、本発明に係る送信能力モニタ装置の第１実施形態を備えた無線局の構成を示すブロック図である。
【００３２】
図１において、本実施形態の無線局は、無線端末１１と、無線端末１１の送信電力を判定するレベル判定部としての判定部１２とを備えて構成される。
無線端末１１は、図示しないデータ生成部で生成された送信データを含んで送信信号を出力する送信回路２１と、送信信号を外部に送信するための送信アンテナ２２と、電力レベル検出出力生成部としての電力検出部２３と、チェックデータ生成部としてのデータ処理部２４と、データ処理部２４で生成されたチェックデータをシリアル伝送するシリアル通信部２５とを備えて構成される。
【００３３】
前記電力検出部２３は、送信回路１１から送信アンテナ１２に出力される送信信号を入力し、この入力信号を周期的に減衰して減衰時と減衰しない時との間の電力レベルに予め設定した閾値と比較して電力レベル検出出力を生成するものであり、第１及び第２切換えスイッチ２３Ａ，２３Ｂと、減衰器２３Ｃと、減衰器のない第１信号経路２３ａと、減衰器２３Ｃを介装した第２信号経路２３ｂと、電力レベル検出部２３Ｄとを備える。
【００３４】
前記第１及び第２切換えスイッチ２３Ａ，２３Ｂは、図示しない制御部からの制御信号により互いに同期して周期的に切換え制御されて、第１信号経路２３ａと第２信号経路２３ｂに周期的に切換え接続し、入力信号の経路を周期的に切換える。これにより交流信号が電力レベル検出部２３Ｄに入力する。
【００３５】
電力レベル検出部２３Ｄは、図２のように、電圧実効値−直流変換用増幅部３１と、演算増幅部３２と、レベル検定部としての閾値判定部３３とを備えて構成され、第２切換えスイッチ２３Ｂから入力する交流信号を電圧実効値−直流変換用増幅部３１及び演算増幅部３２で直流信号に変換した後、この直流信号を閾値判定部３３で予め設定した閾値と比較して閾値判定部３３から電力レベル検出出力を生成して出力する。ここで、前記電圧実効値−直流変換用増幅部３１と演算増幅部３２とで交流−直流変換部を構成する。
【００３６】
前記データ処理部２４は、電力レベル検出部２３Ｄから出力される電力レベル検出出力の出力状態に応じたチェックデータを生成するものである。具体的には、電力レベル検出出力を所定時間間隔でサンプリングし、サンプリングデータと予め記憶した参照データとを排他的論理和演算してシリアルデータを生成し、このシリアルデータをチェックデータとして出力する構成である。
【００３７】
シリアル通信部２５は、データ処理部２４からのチェックデータを判定部１２にシリアル伝送する。
前記判定部１２は、無線端末１１からシリアル伝送されたチェックデータが、電力レベル検出出力が交番出力であることを示す予め定めた所定データであるとき電力レベル正常と判定し、チェックデータが所定データと異なるとき電力レベル異常と判定し、異常判定時に無線端末１１の送信機能を停止するものであり、シリアル通信部４１と、２重系構成のデータ照合部４２と、電源供給遮断部としての電源遮断用リレー４３と、端末用電源４４とを備える。
【００３８】
前記シリアル通信部４１は、無線端末１１からシリアル伝送されたチェックデータを受信するものである。
前記データ照合部４２は、シリアル通信部４１から入力するチェックデータを予め記憶されている所定データと主系照合部と従系照合部の２つの照合部で照合する。主系照合部と従系照合部は、同一の照合動作を実行し、共に正常の場合は主系照合部の照合結果を採用する。照合した結果、チェックデータと所定データが一致すれば、電力正常と判定して電源遮断用リレー４３をＯＮ状態に保持する。一方、チェックデータと所定データが不一致であれば、電力異常と判定して電源遮断用リレー４３をＯＦＦとして端末用電源４４と無線端末１１との間の電源供給路を遮断する。ここで、電力検出部２３、データ処理部２４、シリアル通信部２５及び判定部１２により、送信能力モニタ装置が構成される。
【００３９】
次に動作を説明する。
送信回路２１から送信アンテナ２２に出力される送信電力が電力検出部２３に入力する。電力検出部２３では、第１及び第２切換えスイッチ２３Ａ，２３Ｂが同期して切換え制御される。第１及び第２切換えスイッチ２３Ａ，２３Ｂが第１信号経路２３ａ側に接続したときは、入力信号は減衰されずに電力レベル検出部２３Ｄに入力し、第１及び第２切換えスイッチ２３Ａ，２３Ｂが第２信号経路２３ｂ側に接続したときは、入力信号は減衰器２３Ｃで減衰されて電力レベル検出部２３Ｄに入力する。これにより、電力レベル検出部２３Ｄには、図３のような交流の入力信号が入力する。電力レベル検出部２３Ｄに入力した交流信号は、電圧実効値−直流変換用増幅部３１及び演算増幅部３２で直流信号に変換され、演算増幅部３２から図３のような矩形状の信号が出力され閾値判定部３３に入力する。閾値判定部３３では、入力する信号レベルが閾値以上のときに出力を発生する。従って、送信電力が正常であれば、電力閾値判定部３３からは第１及び第２切換えスイッチ２３Ａ，２３Ｂの切換え周期に同期して図３のような交番信号の電力レベル検出出力が発生する。データ処理部２４は、電力検出部２３から入力する電力レベル検出出力を所定時間間隔でサンプリングし、図４のサンプリングデータを生成し、このサンプリングデータと予め記憶した参照データとを排他的論理和演算して図４のようにチェックデータを生成する。このチェックデータは、シリアル通信部２５から判定部１２にシリアル伝送される。
【００４０】
判定部１２では、シリアル通信部４１を介して伝送されたチェックデータを２重系照合部４２で予め記憶した所定の照合用データと照合する。電力検出部２３の電力レベル検出出力の出力状態が図３のような交番信号であれば、チェックデータと照合データは一致し、照合部４２は送信電力正常と判断し、電源遮断用リレーをＯＮ状態に保持して無線端末１１への電源供給を継続する。一方、例えば、送信電力が必要以上に増大し、図３の減衰期間における入力信号のレベルが増大して演算増幅部３２の出力レベルが閾値を上回ると、電力レベル検出出力は交番信号とならず直流信号となる。この場合、チェックデータは照合用データと異なるデータとなり、照合部４２の照合結果が不一致となって照合部４２は送信電力異常と判断し、電源遮断用リレーをＯＦＦとして無線端末１１への電源供給路を遮断して、無線端末１１の送信機能を停止する。
【００４１】
また、送信電力が必要以上に低下して図３の減衰されない期間の入力信号レベルが低下し、演算増幅部３２の出力レベルが閾値未満となった場合も、照合データと異なるチェックデータが生成されるので、電源遮断用リレーがＯＦＦとなって無線端末１１への電源供給路が遮断され、無線端末１１の送信機能は停止する。
【００４２】
また、本実施形態では、図４に示すように電力レベル検出出力を、第１及び第２切換えスイッチ２３Ａ，２３Ｂの切換え周期より短い所定の時間間隔でサンプリングし、このサンプリグデータと参照データの排他的論理和演算によりチェックデータを生成するようにしている。このため、例えば一時的な故障で図４の点線で示すように電力レベル検出出力のレベルが一時的に低下した場合に、図４の斜線で示すチェックデータが正常時とは異なるデータとなるので、照合部４２の照合結果が不一致となり、無線端末１１の送信機能を停止する。尚、一時的に電力レベル検出出力のレベルが増大した場合も、同様にチェックデータが正常時とは異なり無線端末１１の送信機能を停止する。
【００４３】
以上のように本実施形態によれば、無線端末１１の送信電力が必要以上に増大した場合に、無線端末１１の送信機能を停止することができる。また、一時的に送信能力が異常となるような間欠的な故障に対しても無線端末１１の送信機能を停止することができる。また、判定部１２を無線端末１１から分離して別に設ける構成としたので、無線端末１１が大型化することはない。
【００４４】
次に、本発明の第２実施形態について説明する。
上記第１実施形態の構成では、第２信号経路２３ｂに断線が生じても、電力検出部２３から正常時と同様な交番信号の電力レベル検出出力が発生する可能性がある。第２実施形態は、この問題を解消するものである。
【００４５】
図５に第２実施形態の電力レベル検出部を示す。尚、その他の構成は第１実施形態と同様である。
図５に示す第２実施形態の電力レベル検出部２３Ｄ′は、電圧実効値−直流変換用増幅部３１と演算増幅部３２との間に、第２信号経路２３ｂが正常か否かを確認するための確認手段としての確認回路３４を備える。確認回路３４は、２つの抵抗と１つのスイッチ３４Ａを備え、スイッチ３４Ａは、第１及び第２切換えスイッチ２３Ａ，２３Ｂに同期してＯＮ／ＯＦＦ制御され、第１及び第２切換えスイッチ２３Ａ，２３Ｂが第２信号経路２３ｂ側に接続するときにＯＦＦする構成である。そして、スイッチ３４ＡがＯＦＦしたときに演算増幅部３２の出力が閾値判定部３３の閾値を越えるよう構成されている。
【００４６】
次に、図６を参照して動作を説明する。
第１及び第２切換えスイッチ２３Ａ，２３Ｂが第２信号経路２３ｂ側に接続し、減衰された信号が電力レベル検出部２３Ｄ′に入力する期間に、スイッチ３４ＡをＯＦＦすると、第２信号経路２３ｂが正常で減衰信号が入力していれば、図６のようにスイッチ３４ＡのＯＦＦ動作で、演算増幅部３２の出力がＯＦＦの期間閾値を越え、電力レベル検出出力が図６のようになる。電力レベル検出出力が図６の状態のときにデータ処理部２４は照合用データと同じ所定のチェックデータを生成する。一方、第２信号経路２３ｂが断線すると、減衰期間には信号が入力せずスイッチ３４ＡをＯＦＦしても、演算増幅部３２の出力は変化せず。電力レベル検出出力が図６のようになることはない。これにより、判定部１２において異常判定がなされる。
【００４７】
従って、第２実施形態によれば、第２信号経路２３ｂに断線故障が生じると判定部１２で異常判定がなされ、無線端末１１の送信機能を停止することができる。
【００４８】
次に、第３実施形態について説明する。
図７は、本発明の送信能力モニタ装置の第３実施形態を備えた無線局の構成を示す。尚、第１実施形態と同一要素には同一符号を付して説明を省略する。
【００４９】
図７において、本実施形態の無線局は、無線端末１１の構成が第１実施形態と異なり、電力検出部とデータ処理部を２重系構成としたものである。本実施形態の無線端末１１は、第１実施形態と同様に構成された２つの第１及び第２電力検出部２３Ｘ、２３Ｙを備える。データ処理部２４′は、図８に示すように、第１電力検出部２３Ｘの電力レベル検出出力を第１チェックデータＸに変換する第１チェックデータ変換部２４Ａと、第２電力検出部２３Ｙの電力レベル検出出力を第１チェックデータＸと異なる第２チェックデータＹに変換する第２チェックデータ変換部２４Ｂと、第１チェックデータ変換部２４Ａと第２チェックデータ変換部２４Ｂの第１及び第２チェックデータＸ，Ｙを交互に切換えて出力する出力切換え部としての切換えスイッチ２４Ｃを備える。そして、第１電力検出部２３Ｘと第２電力検出部２３Ｙが互いに双対関係の電力レベル検出出力を生成するよう、それぞれの第１及び第２切換えスイッチ２３Ａ，２３Ｂの切換えを制御する構成である。
【００５０】
次に動作を説明する。
第１電力検出部２３Ｘと第２電力検出部２３Ｙからそれぞれ電力レベル検出出力が生成されるまでの動作は第１実施形態と同様である。データ処理部２４′は、第１電力検出部２３Ｘの電力レベル検出出力状態に応じて第１チェックデータ変換部２４Ａで第１チェックデータを生成し、第２電力検出部２３Ｙの電力レベル検出出力状態に応じて第２チェックデータ変換部２４Ｂで第２チェックデータを生成する。第１及び第２チェックデータＸ，Ｙは、切換えスイッチ２４Ｃの切換え動作により交互にシリアル通信部２５から判定部１２にシリアル伝送される。判定部１２では、照合部４２により第１チェックデータＸと第２チェックデータＹがそれぞれ所定データであるか否かが照合される。そして、第１及び第２チェックデータＸ，Ｙが所定データであれば無線端末１１の送信能力正常と判断し、第１及び第２チェックデータＸ，Ｙが所定データと異なるデータの場合には、無線端末１１の送信能力異常と判断して無線端末１１への電源を遮断して送信機能を停止する。
【００５１】
かかる第３実施形態によれば、第１及び第２電力検出部２３Ｘ，２３Ｙが同時に故障しない限り、無線端末１１の送信能力をモニタできる。また、本実施形態では第１及び第２電力検出部２３Ｘ，２３Ｙの電力レベル検出出力を互いに双対関係で出力する構成としたので、例えば図８に示すようにデータ処理部２４′内で第１電力検出部２３Ｘの出力が第２チェックデータ変換部２４Ｂ側に接続する故障が発生し、同一の電力レベル検出出力が両チェックデータ変換部２４Ａ，２４Ｂに入力した場合、第２チェックデータＹが異なったデータとなり、異常が検出できる。
【００５２】
尚、第１及び第２電力検出部２３Ｘ，２３Ｙを図５の第２実施形態のような構成としてもよく、これにより第３実施形態の送信能力モニタ装置の信頼性が向上する。
【００５３】
次に、本発明に係る受信能力モニタ装置について説明する。
図９は、受信能力モニタ装置の第１実施形態を備えた無線局の構成を示すブロック図である。
【００５４】
図９において、本実施形態の無線局は、無線端末５１と、無線端末５１の受信感度を判定するレベル判定部としての判定部５２とを備えて構成される。
無線端末５１は、外部から送信された信号を受信する受信アンテナ６１と、受受信信号を復調する復調回路６２と、テスト信号発生部６３と、第１及び第２切換えスイッチ６４Ａ，６４Ｂと、減衰器６５と、減衰器のない第１信号経路６６ａと、減衰器６５を介装した第２信号経路６６ｂと、復調回路６２の入力側を第２切換えスイッチ６４Ｂと受信アンテナ６１に切換え接続する第３切換えスイッチ６７と、電力レベル検出出力生成部としての電力レベル検出部６８と、チェックデータ生成部としてのデータ処理部６９と、データ処理部６８で生成されたチェックデータをシリアル伝送するシリアル通信部７０と、復調回路６２の出力信号をデータ処理部６９に入力する常開スイッチ７１とを備えて構成される。
【００５５】
前記テスト信号発生部６３は、データ処理部６９で生成されるテストデータを含むテスト信号を発生する。第１及び第２切換えスイッチ６４Ａ，６４Ｂは、図示しない制御部からの制御信号により互いに同期して周期的に切換え制御されて、第１信号経路６６ａと第２信号経路６６ｂに周期的に切換え接続する。これにより、テスト信号が周期的に減衰されて第３切換えスイッチ６７を介して復調回路６２に供給される。ここで、前記テスト信号発生部６３、第１及び第２切換えスイッチ６４Ａ，６４Ｂ、減衰器６５、第１及び第２信号経路６６ａ，６６ｂと、第３切換えスイッチ６７とで、テスト信号供給部が構成される。
【００５６】
前記電力レベル検出部６８は、上述した送信能力モニタ装置の電力レベル検出部２３Ｄと同様の構成である（図２参照）。
前記常開スイッチ７１は、電力レベル検出部６８の電力レベル検出出力がハイレベルのときにＯＮし、復調回路６２で検波された信号をデータ処理回路６９に入力する。データ処理部６９も、上述した送信能力モニタ装置のデータ処理回路２４と同様の構成であり、電力レベル検出部６８から出力される電力レベル検出出力の出力状態に応じたチェックデータを生成するものである。具体的には、電力レベル検出出力を所定時間間隔でサンプリングし、サンプリングデータと予め記憶したテストデータを参照データとして排他的論理和演算してシリアルデータを生成し、このシリアルデータをチェックデータとして出力する構成である。また、常開スイッチ７１を介して入力するテスト信号に含まれたテストデータからスイッチチェック用データを生成する構成である。
【００５７】
シリアル通信部７０は、受信データ、データ処理部６９からの電力レベルチェック用のチェックデータ及びスイッチチェック用データを判定部５２にシリアル伝送する。
【００５８】
前記判定部５２は、上述した送信能力モニタ装置の判定部１２と同様で、無線端末５１からシリアル伝送されたチェックデータが、電力レベル検出出力が交番出力であることを示す予め定めた所定データであるとき電力レベル正常と判定し、チェックデータが所定データと異なるとき電力レベル異常と判定し、異常判定時に無線端末５１の受信機能を停止するものであり、シリアル通信部８１と、２重系構成のデータ照合部８２と、電源供給遮断部としての電源遮断用リレー８３と、端末用電源８４とを備える。これらシリアル通信部８１、データ照合部８２、電源遮断用リレー８３及び端末用電源８４は、送信能力モニタ装置の場合と同様の構成であるので説明を省略する。ここで、テスト信号供給部、電力レベル検出部６８、データ処理部６９、シリアル通信部７０及び判定部５２により、受信能力モニタ部が構成される。
【００５９】
次に動作を説明する。
本実施形態の受信能力モニタ装置は、受信感度が正常か否かを、受信データを受信した後に、テスト信号を発生してチェックする構成である。
【００６０】
通常時、第３切換えスイッチ６７は受信アンテナ６１側に接続している。受信信号が受信されると復調回路６２で復調され、復調信号が電力レベル検出部６８に入力する。この復調信号レベルが電力レベル検出部６８の閾値判定部の閾値より大きければ電力レベル検出部６８からの電力レベル検出出力により常開スイッチ７１がＯＮして復調信号がデータ処理部６９に入力し、データとして復調されてシリアル通信部７０により判定部５２に伝送される。
【００６１】
データ処理部６９で受信データの復調が行われると、データ処理部６９は、受信感度をチェックするためのテストデータをテスト信号発生部６３に出力し、テスト信号発生部６３は入力したテストデータを含むテスト信号を発生する。この際には、第３切換えスイッチ６７を第２切換えスイッチ６４Ｂ側に切換え接続する。テスト信号は、第１及び第２切換えスイッチ６４Ａ，６４Ｂの周期的な切換え動作により、周期的に減衰されて復調回路６２に入力し、復調テスト信号が生成される。受信感度が正常であれば電力レベル検出部６８から交番信号の電力レベル検出出力が発生し、データ処理部６９で所定のチェックデータが生成され、判定部５２にシリアル伝送される。判定部５２では、伝送されたチェックデータを２重系照合部８２で予め記憶した所定の照合用データと照合し、一致すれば受信感度正常と判断し、電源遮断用リレー８３をＯＮ状態に保持して無線端末５１への電源供給を継続する。また、受信データを有効と判断する。
【００６２】
一方、例えば、受信電力が必要以上に増大し、減衰期間で復調テスト信号のレベルが閾値を上回ると、電力レベル検出出力は交番信号とならずチェックデータは照合用データと異なるデータとなり、照合部８２の照合結果が不一致となって照合部８２は受信感度異常と判断し、受信データを無効とすると共に、電源遮断用リレー８３をＯＦＦとして無線端末５１への電源供給路を遮断して、無線端末５１の受信機能を停止する。尚、受信感度が必要以上に低下した場合も、照合データと異なるチェックデータが生成され、電源遮断用リレー８３がＯＦＦとなって無線端末５１への電源供給路が遮断され、無線端末５１の受信機能が停止される。
【００６３】
また、常開スイッチ７１が正常であれば、電力レベル検出部６８の電力レベル検出出力が高レベルのときだけテストデータの一部がデータ処理部６９に入力するが、常開スイッチ７１に例えばＯＮ故障が発生すると正常時には入力しないテストデータまでデータ処理部６９に入力してしまう。この場合、正常時の入力テストデータによるスイッチチェック用データとは異なるスイッチチェック用データが生成されるので、判定部５２の照合動作により常開スイッチ７１の故障が検出される。
【００６４】
以上のように本実施形態の受信能力モニタ装置によれば、無線端末５１の受信感度が必要以上に増大した場合に、無線端末５１の受信機能を停止することができる。また、一時的に受信感度が異常となるような間欠的な故障に対しても無線端末５１の受信機能を停止することができる。また、判定部５２を無線端末５１から分離して別に設ける構成としたので、無線端末５１が大型化することはない。また、常開スイッチ７１の故障も検出できる。
【００６５】
次に、第２実施形態について説明する。
図１０は、本発明の受信能力モニタ装置の第２施形態を備えた無線局の構成を示す。尚、第１実施形態と同一要素には同一符号を付して説明を省略する。
【００６６】
図１０において、本実施形態の無線局は、無線端末５１の構成が第１実施形態と異なり、電力レベル検出部とデータ処理部を２重系構成としたものである。本実施形態の無線端末５１は、第１実施形態と同様に構成された２つの第１及び第２電力レベル検出部６８Ｘ、６８Ｙを備える。データ処理部６９′は、送信能力モニタ装置の場合と同様に、第１電力レベル検出部６８Ｘの電力レベル検出出力を第１チェックデータＸに変換し、第２電力レベル検出部６８Ｙの電力レベル検出出力を第１チェックデータＸと異なる第２チェックデータＹに変換し、第１及び第２チェックデータＸ，Ｙを交互に切換えて出力する構成である。
【００６７】
動作は、送信能力モニタ装置の第３実施形態の場合と同様である。即ち、データ処理部６９′は、第１電力レベル検出部６８Ｘの電力レベル検出出力状態に応じて第１チェックデータＸを生成し、第２電力レベル検出部６８Ｙの電力レベル検出出力状態に応じて第２チェックデータＹを生成する。第１及び第２チェックデータＸ，Ｙは、判定部５２にシリアル伝送されそれぞれ所定データであるか否かが照合される。そして、第１及び第２チェックデータＸ，Ｙが所定データであれば無線端末５１の受信感度正常と判断し、第１及び第２チェックデータＸ，Ｙが所定データと異なるデータの場合には、無線端末５１の受信能力異常と判断して無線端末５１への電源を遮断して受信機能を停止する。
【００６８】
尚、第１電力レベル検出部６８Ｘと第２電力レベル検出部６８Ｙの電力レベル検出出力を互いに双対な関係とすれば、データ処理部６９′内での第１電力レベル検出部６８Ｘの出力が第２チェックデータ変換部側に接続するような故障を検出できる。
【００６９】
尚、上述の各実施形態において、受信能力モニタ装置における電力検出部を、図５のような構成にすれば、第２信号経路６６Ｂの断線故障が検出可能となり、受信能力モニタ装置の信頼性を向上できる。
【００７０】
次に、上述の送信能力モニタ装置を備えた無線局と受信能力モニタ装置を備えた無線局との間でデータ通信する本発明に係る無線通信システムについて説明する。
【００７１】
図１１は、本発明の無線通信システムの実施形態を示し、鉄道交通の車上−地上間のデータ通信に適用した例を説明する。
図１１において、本実施形態の無線通信システムは、鉄道交通におけるマイクロ波トランスポンダによる車上−地上間の無線通信システムであり、車両１００側に、無線端末としての質問器からなる車上子１０１と該車上子１０１に接続する車上装置１０２を搭載する。地上側には、地上に敷設した一対のレール１０３間に無線端末としての応答器からなる地上子１０４と該地上子１０４に接続する中継器１０５を設置する。地上子１０４の電源は、電源装置１０６から中継器１０５を介して供給する。前記車上子１０１と車上装置１０２が移動局となり、前記地上子１０４と中継器１０５が固定局となる。
【００７２】
前記車上子１０１は図１〜図８で説明した送信能力モニタ装置の無線端末１１の構成を有し、車上装置１０２に判定部１２を設ける。また、地上子１０４は図９及び図１０で説明した受信能力モニタ装置の無線端末５１の構成を有し、中継器１０５に判定部５２を設ける。尚、電源装置１０６が、中継器１０５における判定部５２の端末用電源に相当するものである。
【００７３】
次に動作を説明する。
車上子１０１は、車両１００が走行するレール１０３側に設置される地上子１０４とだけ通信し隣接するレール側の地上子とは通信しないよう、送信アンテナの指向性を狭く設定すると共に送信電力が適切に設定される。同様に、地上子１０４も、レール１０３を走行する車両１００に搭載された車上子１０１とだけ通信し隣接するレール側を走行する車両の車上子とは通信しないよう、受信アンテナの指向性を狭く設定すると共に受信感度が適切に設定される。
【００７４】
車上子１０１から常時質問波を送信しながらレール３上を走行する車両１００が、地上子１０４を通過する際、地上子１０４が質問波を受信して車両１００側からの書込みデータを受信する。質問波を受信した地上子１０４は、応答波を返信し、受信した書込みデータに応じた応答データを車両１００側に送信する。このようにして、車両−地上間でデータ伝送が行われる。そして、車上子１０１の送信電力が必要以上に増大すれば、上述したように送信能力モニタ装置の判定部により車上子１０１の送信機能を停止する。また、地上子１０４の受信感度が必要以上に増大すれば、上述したように受信能力モニタ装置の判定部により地上子１０４の受信機能を停止する。尚、地上子１０４の受信感度の増大が検出されると、地上子１０４への電源が遮断されるので、地上子１０４は応答データを送信しない。また、地上子１０４が車上子１０１から所定の電力以上の書込みデータを受信した場合に限り、応答データを返信するように設定すれば通信エリアの拡大抑制に一層効果がある。
【００７５】
従って、隣接するレール側の地上子や車上子と通信することを防止でき、誤ったデータ伝送を防止できる。車上子１０１と分離して車上装置１０２に判定部を設けることで、車上子１０１のサイズが大きくなることはない。同様に、地上子１０４と分離して中継器１０５に判定部を設けることで、地上子１０４のサイズが大きくなることはない。しかも、中継器１０５は設置場所の制約がなく電源装置１０６の近くに設置することができるので、２重化構成の判定部での電力消費が大きくても電源装置１０６と接続するケーブルを短くでき、ケーブルによる電力損失を低減できる。
【００７６】
尚、上記実施形態では、送信側を移動局とし受信側を固定局とする例を説明したが、本発明の無線通信システムは、送信側を固定局とし受信側を移動局としてもよく、互いにデータ伝送する両無線局がそれぞれ送受信の両機能を備えるものでもよい。また、本発明の無線通信システムは、鉄道交通システムに限らず、自動車の交通制御システムや自動改札の改札処理システム等、その他のシステムにも適用できることは言うまでもない。
【００７７】
【発明の効果】
以上説明したように本発明によれば、送信電力が必要以上に増大した場合に無線端末の送信機能を停止でき、また、受信感度が必要以上に増大した場合に無線端末の受信機能を停止できるので、所定の相手だけとデータ通信するような狭帯域通信システムにおいて、所定の相手以外の相手とデータ通信するのを防止できる。従って、狭帯域通信システムの信頼性を向上できるようなる。
【図面の簡単な説明】
【図１】本発明に係る送信能力モニタ装置の第１実施形態を備える無線局のブロック構成図
【図２】電力レベル検出部のブロック構成図
【図３】電力レベル検出部の動作説明図
【図４】データ処理部の動作説明図
【図５】送信能力モニタ装置の第２実施形態を示す電力レベル検出部のブロック構成図
【図６】第２実施形態の電力レベル検出部の動作説明図
【図７】送信能力モニタ装置の第３実施形態を備える無線局のブロック構成図
【図８】第３実施形態のデータ処理部の要部構成図
【図９】本発明に係る受信能力モニタ装置の第１実施形態を備える無線局のブロック構成図
【図１０】受信能力モニタ装置の第２実施形態を備える無線局のブロック構成図
【図１１】本発明に係る無線通信システムの実施形態を示す概略構成図
【図１２】従来の無線通信システムの問題点の説明図
【符号の説明】
１１，５１    無線端末
１２，５２    判定部
２１    送信アンテナ
２２    送信回路
２３，２３Ｘ，２３Ｙ    電力検出部
２３Ｃ，６５    減衰器
２３Ｄ，６８，６８Ｘ，６８Ｙ    電力レベル検出部
２４，２４′，６９    データ処理部
３４    確認回路
４２，８２    ２重系照合部
４３，８３    電源遮断用リレー
６１    受信アンテナ
６２    復調回路
６３    テスト信号発生部
７１    常開スイッチ
１０１    車上子
１０２    車上装置
１０４    地上子
１０５    中継器
【図１】
2004274348.tif 000003
【図２】
2004274348.tif 000004
【図３】
2004274348.tif 000005
【図４】
2004274348.tif 000006
【図５】
2004274348.tif 000007
【図６】
2004274348.tif 000008
【図７】
2004274348.tif 000009
【図８】
2004274348.tif 000010
【図９】
2004274348.tif 000011
【図１０】
2004274348.tif 000012
【図１１】
2004274348.tif 000013
【図１２】
2004274348.tif 000014